(57)【要約】【課題】居住者の注意がセキュリティモードへの設定操作に集中されて家電機器の電源スイッチを切り忘れてしまうのを防ぎ、省エネルギ化を図ることができること。【解決手段】インターホンシステム１は、インターホン親機２（以下親機２）とドアホン子器３（以下子器３）と防犯センサ４と電力計測装置５とを備える。電力計測装置５は家電機器１２に流れる電力を監視する。親機２は、設定釦９とモード設定部２５ａと動作判定部２５ｃと表示制御部２５ｄと警報音出力制御部２５ｅとを備える。モード設定部２５ａは、設定釦９の操作により防犯センサ４が異常を検出すると警報音出力制御部２５ｅに警報音を出力させるセキュリティモードの設定・解除を行う。動作判定部２５ｃは、電力計測装置５からの電力値より家電機器１２が動作中か否かを判定する。表示制御部２５ｄは家電機器１２が動作中であればその旨を通知する。【選択図】図１
2010226344.tif 000002
【特許請求の範囲】
【請求項１】
住戸内に設置されるインターホン親機と、住戸外に設置されて前記インターホン親機と
音声信号の送受信により通話が可能なドアホン子器と、住戸内外に設置されて不審者の侵
入等の異常を検出する防犯センサと、１つ乃至複数の家電機器に流れる電力を監視する電
力計測装置と、を備え、
前記インターホン親機は、押釦スイッチ等からなる操作手段と、警報音を出力して周囲
に異常を報知する報知手段と、前記操作手段の操作を通じて前記防犯センサが異常を検出
したときに前記報知手段に警報音を出力させるセキュリティモードの設定及び解除を行う
設定手段と、前記電力計測装置で検出される電力値より前記家電機器が動作中か否かを判
定する判定手段と、前記設定手段を通じてセキュリティモードに設定されるとき前記判定
手段の判定結果より前記家電機器が動作中であればその旨を通知する通知手段と、を備え
ていることを特徴とするインターホンシステム。
【請求項２】
前記防犯センサは、住戸内の空調機器や暖房機器等の前記家電機器が配置される場所か
ら相対的に近い位置の窓に設置されていることを特徴とする請求項１記載のインターホン
システム。
【発明の詳細な説明】
【技術分野】
【０００１】
本発明は、防犯センサを備えたインターホンシステムに関するものである。
【背景技術】
【０００２】
従来より、住戸内に設置されるインターホン親機、及び住戸外に設置されてインターホ
ン親機と音声信号の送受信により通話が可能なドアホン子器に加え、住戸内外に設置され
て不審者の侵入等の異常を検出する防犯センサを備えた種々のインターホンシステムが提
供されている。例えば、特許文献１に記載のセキュリティシステムも上記インターホン親
機、ドアホン子器及び防犯センサを備えた一例である。この様なインターホン親機は、押
釦スイッチ等からなる操作手段と、警報音を出力して周囲に異常を報知する報知手段と、
前記操作手段の操作を通じて防犯センサが異常を検出すると前記報知手段に警報音を出力
させるセキュリティモードの設定及び解除を行う設定手段とを備える。そして、居住者は
、ゴミ出しのように僅かな時間だけ住戸を留守にする際にはセキュリティモードの設定を
行わずに外出し、買い物のように長期的に住戸を留守にする際には前記操作手段を通じて
セキュリティモードの設定を行って外出する。尚、上述の防犯センサとは、例えば、窓の
開閉を検知する開閉検知センサや、窓ガラスへの衝撃及びその破壊を検知する衝撃センサ
、人体を感知する人体感知センサといったもので、その機能に応じて住戸内外の適所に設
置される。
【先行技術文献】
【特許文献】
【０００３】
【特許文献１】特許第３９９４９１９号公報
【発明の概要】
【発明が解決しようとする課題】
【０００４】
しかしながら、従来の防犯センサを備えたインターホンシステムは、居住者が長期的に
住戸を留守にする際にセキュリティモードへの設定操作を行う必要があるため、居住者の
注意が前記操作に集中されて、住戸内の家電機器の電源スイッチを切り忘れて外出してし
まう恐れがあった。
【０００５】
本発明は上記事由に鑑みて為されたものであり、その目的は、居住者の注意がセキュリ
ティモードへの設定操作に集中されて家電機器の電源スイッチを切り忘れてしまうのを防
ぎ、省エネルギ化を図ることができるインターホンシステムを提供することにある。
【課題を解決するための手段】
【０００６】
請求項１の発明は、上記目的を達成するために、住戸内に設置されるインターホン親機
と、住戸外に設置されて前記インターホン親機と音声信号の送受信により通話が可能なド
アホン子器と、住戸内外に設置されて不審者の侵入等の異常を検出する防犯センサと、１
つ乃至複数の家電機器に流れる電力を監視する電力計測装置と、を備え、前記インターホ
ン親機は、押釦スイッチ等からなる操作手段と、警報音を出力して周囲に異常を報知する
報知手段と、前記操作手段の操作を通じて前記防犯センサが異常を検出したときに前記報
知手段に警報音を出力させるセキュリティモードの設定及び解除を行う設定手段と、前記
電力計測装置で検出される電力値より前記家電機器が動作中か否かを判定する判定手段と
、前記設定手段を通じてセキュリティモードに設定されるとき前記判定手段の判定結果よ
り前記家電機器が動作中であればその旨を通知する通知手段と、を備えていることを特徴
とする。
【０００７】
この発明によれば、１つ乃至複数の家電機器に流れる電力を監視する電力計測装置を備
え、前記インターホン親機は、前記判定手段と前記通知手段とを備えているので、居住者
の注意がセキュリティモードへの設定操作に集中されて前記家電機器の電源スイッチを切
り忘れてしまうのを防ぎ、省エネルギ化を図ることができる。
【０００８】
請求項２の発明は、請求項１の発明において、前記防犯センサは、住戸内の空調機器や
暖房機器等の前記家電機器が配置される場所から相対的に近い位置の窓に設置されている
ことを特徴とする。
【０００９】
この発明によれば、寒冷地や冬場等のように住戸周辺の雰囲気温度が低いときに、空調
機器や暖房機器等の前記家電機器の電源スイッチを消し忘れることで前記窓の表面や前記
防犯センサ内部に結露が発生して、その結露水滴により前記防犯センサが故障してしまう
のを防ぐことができる。
【発明の効果】
【００１０】
本発明では、居住者の注意がセキュリティモードへの設定操作に集中されて家電機器の
電源スイッチを切り忘れてしまうのを防ぎ、省エネルギ化を図ることができるという効果
がある。
【図面の簡単な説明】
【００１１】
【図１】本発明の実施形態の構成を示す図である。
【図２】同上におけるドアホン子器のブロック図である。
【図３】同上におけるインターホン親機の外観図である。
【図４】同上におけるセキュリティモードの設定及び解除処理を示すフローチャート図である。
【発明を実施するための形態】
【００１２】
以下、本発明の実施形態について、図１〜図４を参照して説明する。本実施形態のイン
ターホンシステム１は、図１に示すように、インターホン親機２（以下、親機２と略称す
る）と、ドアホン子器３（以下、子器３と略称する）と、複数の防犯センサ４（図１中で
は１つのみ図示）と、電力計測装置５とを備える。
【００１３】
子器３は、住戸外の表門等に設置され、信号線１０を介して親機２に接続される。尚、
図１中の子器３は１つであるが、親機２の接続端子数に応じて複数設置可能である。そし
て、子器３は、図２に示すように、多重分離部３０、撮像部３１、映像信号送信部３２、
音声入力部３３、音声出力部３４、音声送受話部３５、呼出釦３６及び呼出信号発生部３
７から構成される。
【００１４】
撮像部３１は、被写体光像を光電変換して映像信号を出力する撮像素子と、撮像素子の
撮像面に被写体光像を結像させるレンズとを備える。撮像部３１の映像信号は、映像信号
送信部３２に出力される。撮像素子は、受光した光をその光強度に従った電気信号に変換
する複数の受光素子をマトリックス状に配置した光電変換素子であり、例えばＣＣＤイメ
ージセンサやＣＭＯＳイメージセンサの固体撮像素子等である。映像信号送信部３２は、
入力された映像信号を変調して映像変調信号として多重分離部３０へ出力する。
【００１５】
音声入力部３３は、音声を音声信号として電気信号に変換するマイクロフォンと、マイ
クロフォンから出力される音声信号を増幅するマイクロフォンアンプとから構成される。
この音声信号は、音声送受話部３５を介して多重分離部３０へ出力される。訪問者は、音
声入力部３３に向かって音声を入力することで、親機２側の居住者と通話する。音声出力
部３４は、音声信号を音声に変換するスピーカと、スピーカを鳴動させるためのドライブ
回路とから構成される。親機２から送信されてくる音声信号はこの音声出力部３４を通じ
て音声として再生される。音声送受話部３５は、音声入力部３３から入力される音声信号
を増幅してＦＭ変調してから多重分離部３０に出力し、一方、多重分離部３０から入力さ
れた親機２からの音声信号を復調して増幅してから音声出力部３４へ出力する。
【００１６】
呼出釦３６は、押圧操作によって親機２側に呼出音を鳴動させるためのものである。訪
問者は、この呼出釦３６を操作することによって住戸内の居住者に訪問者の存在があるこ
とを知らせる。呼出信号発生部３７は、呼出釦３６の操作に応じて呼出信号を生成し多重
分離部３０へ出力する。
【００１７】
多重分離部３０は、映像信号送信部３２からの映像変調信号、音声送受話部３５からの
音声信号、及び呼出信号発生部３７からの呼出信号を周波数分割多重化して信号線１０を
通じて親機２へ送信する。
【００１８】
この様な子器３は、扁平な略直方体形状に形成されるケース（図示せず）を有しており
、そのケース正面には、上述の撮像部３１のレンズや、呼出釦３６、音声入力部３３たる
マイクロフォンが配置されているほか、メッシュ状に多数の孔が貫設される音出力窓（図
示せず）が設けられている。前記音出力窓は、子器３のケース内部に収納される音声出力
部３４たるスピーカからの音をケース６外部へ伝播させるためのものである。
【００１９】
防犯センサ４は、不審者の侵入等の異常を検出するためのもので、例えば、従来技術で
述べた開閉検知センサや、衝撃センサ、人体感知センサであり、その機能に応じて住戸内
外の適所に設置される。防犯センサ４は、信号線１１を通じて親機２と接続されており、
異常を検出すれば信号線１１を通じて親機２へ異常検出信号を送信して異常発生を伝える
。
【００２０】
電力計測装置５は、照明装置や、空調機器、洗濯機、テレビなどの家電機器１２（図１
中では３つのみ図示）の電力を監視するもので、例えば、住宅盤に収納される分岐ブレー
カ（図示せず）の分岐電路に挿入されて、その電路に流れる電流を検出する複数のカレン
トトランス（図示せず）を備える。尚、家電機器１２と前記電路とは、住戸内のアウトレ
ット（電源コンセントや引掛けシーリング等）を介して接続されている。また、電力計測
装置５は、検出される電力値データを制御する制御部（図示せず）や信号線１２を通じて
前記データを親機２へ送信する通信部（図示せず）を備える。
【００２１】
親機２は、図１に示すように、多重分離部２０、映像信号受信部２１、表示部２２、音
声送受話部２３、音入出力部２４、制御部２５、呼出音発生部２６、操作入力部２７、防
犯センサ用通信部２８及び電力計測装置用通信部２９と、押釦スイッチ等からなる通話釦
８及び設定釦９とから構成される。また、親機２は、信号線１０を通じて子器３に接続さ
れ、子器３より映像変調信号、音声信号及び呼出信号を受信する。尚、これらの信号は上
述のように子器３の多重分離部３０にて周波数分割多重化されており、親機２の多重分離
部２０により各々分離されて映像信号受信部２１、音声送受話部２３及び制御部２５へ送
信される。
【００２２】
映像信号受信部２１は、多重分離部２０で分離された映像変調信号を映像信号に復調し
て表示部２２に出力する。表示部２２は、前記映像信号を画像表示するＣＲＴディスプレ
イや、液晶ディスプレイ（ＬＣＤ）、有機ＥＬのディスプレイ等である。
【００２３】
音声送受話部２３は、親機２と子器３とが通話可能な状態にあるとき、音入出力部２４
から入力されてきた音声信号を増幅しＦＭ変調して多重分離部２０に出力する。但し、子
器３側から音声信号が送信されてきた場合、音声送受話部２３は、多重分離部２０で分離
された子器３側の音声信号と、音入出力部２４から入力されて増幅・ＦＭ変調された後の
音声信号とのレベルを比較して、現在の通話が送話状態か受話状態かを判断する。送話状
態であれば音入出力部２４からの音声信号を多重分離部２０へ出力し、受話状態であれば
多重分離部２０からの音声信号を復調・増幅して音入出力部２４へ出力する。
【００２４】
音入出力部２４は、音声送受話部２３から入力されてくる音声信号を音声に変換して再
生するスピーカ及びスピーカを鳴動させるためのドライブ回路、並びに親機２を使用する
住宅者の音声を音声信号に変換するマイクロフォン及びその音声信号を増幅して音声送受
話部２３へ出力するマイクロフォンアンプから構成される。呼出音発生部２６は、制御部
２５からの出力に基づき音入出力部２４のスピーカから呼出音を鳴動させる。
【００２５】
制御部２５は、例えば、制御プログラムを記憶するＲＯＭや一時的にデータを記憶する
ＲＡＭが内蔵されたマイクロコンピュータからなり、多重分離部２０や、呼出音発生部２
６、操作入力部２７、防犯センサ用通信部２８、電力計測装置用通信部２９の駆動を制御
する。そして、制御部２５は、設定手段たるモード設定部２５ａ、センサ制御部２５ｂ、
判定手段たる動作判定部２５ｃ、通知手段たる表示制御部２５ｄ、報知手段たる警報音出
力制御部２５ｅ、画像データ記憶部２５ｆ及び警報音データ記憶部２５ｇを備える。
【００２６】
センサ制御部２５ｂは、防犯センサ４から防犯センサ用通信部２８を通じて異常検出信
号を受信すると、警報音出力制御部２５ｅに警報音を出力させるように制御したり、警備
会社にネットワークを通じて異常発生を通報したりする。モード設定部２５ａは、操作手
段たる設定釦９の操作を通じて、防犯センサ４が異常を検出すると警報音を出力させるセ
キュリティモードの設定及び解除を行う。動作判定部２５ｃは、電力計測装置５からの電
力値データを受信すると、その電力値が所定の閾値を超えているかどうかを比較すること
で家電機器１２が動作中か否かを判定する。表示制御部２５ｄは、画像データ記憶部２５
ｆ内に記憶されている種々の画像を表示部２２に表示させるものである。例えば、現在親
機２がセキュリティモードで動作中か否かを表す画像を表示させる。また、表示制御部２
５ｄは、動作判定部２５ｃによる判定結果を表す画像を表示させて、居住者に動作中にあ
る家電機器１２が存在するかどうか通知する。警報音出力制御部２５ｅは、センサ制御部
２５ｂより異常発生を伝えられると警報音データ記憶部２５ｇに記憶されている警報音に
なる電気信号を音入出力部２４のスピーカに出力する。警報音は、例えば一定の周期で出
力される電子音や音声或いは音楽でもよい。また、表示制御部２５ｄに加えて、警報音出
力制御部２５ｅの音声で動作判定部２５ｃによる判定結果を通知してもよい。
【００２７】
操作入力部２７は、後述する通話釦８の操作に応じた通話開始信号や通話終了信号、並
びに設定釦９の操作に応じたセキュリティモードの設定信号や解除信号を生成して制御部
２５へ出力する。
【００２８】
防犯センサ用通信部２８は、信号線１１を介して防犯センサ４と通信するもので、上述
の通り防犯センサ４から受信する異常検出信号を制御部２５のセンサ制御部２５ｂへ出力
する。
【００２９】
電力計測装置用通信部２９は、信号線１２を介して電力計測装置５と通信するもので、
電力計測装置５で検出される電力値データを受信すると制御部２５の動作判定部２５ｃへ
出力する。
【００３０】
次に、親機２の外観について図３を参照しながら説明する。親機２は、図３に示すよう
に、扁平な略直方体形状に形成されるケース６を有しており、例えば住戸内のリビングに
設置される。ケース６正面の略中央部にはメッシュ状に多数の孔が貫設される音出力窓７
が設けられ、音出力窓７上方にはＣＲＴディスプレイたる表示部２２が配置され、音出力
窓７下方には通話釦８が配置される。そして、音出力窓７右側近傍には設定釦９が配置さ
れる。
【００３１】
音出力窓７は、ケース６内部に収納される音入出力部２４のスピーカから出力される音
をケース６外部へ伝播させるためのものである。一方、音入出力部２４のマイクロフォン
は通話釦８の下部に配置される。表示部２２は、上述の通り、映像信号を画像表示するも
ので子器３の撮像部３１で撮像される訪問者の画像を表示したり、画像データ記憶部２５
ｆ内の画像を表示したりする。
【００３２】
通話釦８は、親機２と子器３との間で通話の開始及び終了をオン・オフするスイッチで
ある。通話釦８を１回押圧操作すると操作入力部２７を通じて制御部２５へ通話開始信号
が送信されて親機２と子器３とが通話可能となり、通話釦８をもう１回押圧操作すると操
作入力部２７を通じて制御部２５へ通話終了信号が送信されて子器との通話が終了する。
【００３３】
設定釦９は、親機２のセキュリティモードの設定及び解除を操作するスイッチである。
設定釦９を１回押圧操作すると操作入力部２７を通じて制御部２５へセキュリティモード
の設定信号が送信される。前記設定信号を受信した制御部２５のモード設定部２５ａはセ
キュリティモードに設定される。そして、各防犯センサ４が異常を検出すると、警報音出
力制御部２５ｅはセンサ制御部２５ｂの制御に応じて警報音を出力する。また、設定釦９
をもう１回押圧操作すると操作入力部２７を通じて制御部２５へセキュリティモードの解
除信号が送信される。前記解除信号を受信したモード設定部２５ａはセキュリティモード
を解除する。そして、各防犯センサ４が異常を検出しても、警報音出力制御部２５ｅはセ
ンサ制御部２５ｂの制御に応じて警報音を出力しない。尚、居住者が設定釦９を押圧して
から直ぐにセキュリティモードへ設定されてしまうと、防犯センサ４が、居住者の住戸外
へ出るまでの行動に反応してしまう恐れがある。そこで、設定釦９を押圧しても直ぐには
セキュリティモードへ設定されないように待機時間を設けることが望ましい。
【００３４】
この様にインターホンシステム１は、親機２と子器３とが音声信号の送受信により通話
が可能であることに加えて、設定釦９の操作により親機２のセキュリティモードの設定及
び解除が可能となっている。
【００３５】
そして、本実施形態のインターホンシステム１は、上述のように家電機器１２の電力値
を検出する電力計測装置５を備えている点に特徴がある。以下、居住者が住戸を留守にす
るときのインターホンシステム１の作用について図４を参照しながら説明する。
【００３６】
図４は、居住者の設定釦９操作に対する親機２内の処理内容を示すフローチャート図で
ある。居住者は、長期的に住戸を留守にするとき、防犯センサ４が異常を検出すると警報
音を出力させるセキュリティモードに設定するため設定釦９を押圧操作する。このとき、
既に親機２がセキュリティモードに設定されていれば、セキュリティモードを解除するよ
うに制御される。そして、表示部２２の画像や音入出力部２４の音声を通じてセキュリテ
ィモードを解除したことを通知する。これに対して、親機２がセキュリティモードに設定
されていなければ、制御部２５は電力計測装置５に電力値データを要求する。そして、前
記要求に応じて電力計測装置５より送信されてきた電力値データを基に、動作判定部２５
ｃは家電機器１２が動作中か否か判定する。もし、動作中の家電機器１２が存在しなけれ
ば、親機２はその旨を表示部２２の画像や音入出力部２４の音声を通じて通知して所定の
待機時間（例えば、１分）が経過してからセキュリティモードに設定される。
【００３７】
一方、動作中の家電機器１２が存在すれば、親機２は家電機器１２の電源スイッチの切
り忘れている旨を表示部２２の画像や音入出力部２４の音声を通じて通知する。但し、居
住者が動作中の家電機器１２の電源スイッチを切るにはある程度の時間を必要とする。そ
こで、動作中の家電機器１２が存在する場合、親機２は先述の待機時間よりも長い時間（
例えば、５分）が経過してからセキュリティモードに設定される。尚、動作中の家電機器
１２が存在する場合、待機時間を長くせずにセキュリティモードへの設定要求自体を破棄
し、元の設定釦９が操作される前の状態へ戻るように制御されてもよい。
【００３８】
この様に、インターホンシステム１は、設定釦９を操作するだけでセキュリティモード
の設定・解除と動作中にある家電機器１２の存在確認とができるので、居住者の注意がセ
キュリティモードへの設定操作に集中されて家電機器１２の電源スイッチを切り忘れてし
まうのを防ぎ、省エネルギ化を図ることができる。
【００３９】
ところで、衝撃センサや開閉検知センサ等の防犯センサ４が、住戸内の空調機器や暖房
機器等の家電機器１２の配置場所から相対的に近い窓に設置されている場合がある。そし
て、寒冷地や冬場等のように住戸周辺の雰囲気温度が低いとき、居住者がその空調機器や
暖房機器の電源スイッチを消し忘れて長期的に住戸を留守にすると、窓の表面や防犯セン
サ４内部に結露が発生して、その結露水滴により防犯センサ４が故障してしまう可能性が
ある。しかし、上述の通りインターホンシステム１は、設定釦９を操作するだけで、動作
中にある空調機器や暖房機器が存在するかどうか確認することができるので、省エネルギ
化を図ることができるだけでなく、結露水滴による防犯センサ４の故障を防ぐこともでき
る。
【符号の説明】
【００４０】
１  インターホンシステム
２  インターホン親機
３  ドアホン子器
４  防犯センサ
５  電力計測装置
９  設定釦
１２  家電機器
２５ａ  モード設定部
２５ｃ  動作判定部
２５ｄ  表示制御部
２５ｅ  警報音出力制御部
【図１】
2010226344.tif 000003
【図２】
2010226344.tif 000004
【図３】
2010226344.tif 000005
【図４】
2010226344.tif 000006